(57)【特許請求の範囲】
【請求項１】
反射体に外嵌させると共に誘導標本体に取り外し可能に取付けられたリング状の保持体を介して、反射体が誘導標本体に取付けられ、保持体は全面が反射体の外形より小さく開口すると共に、背面が反射体の外形より大きく開口したリング状であることを特徴とする視線誘導標。
【請求項２】
保持体と誘導標本体のいずれか一方に、中心又は側方に向けて突設した鍔状の横壁により取付溝を形成すると共に、その横壁の複数箇所を切り欠いて挿入口を形成し、他の一方に、前記横壁とは逆方向に向けて爪片を突出し、この爪片を前記挿入口に係合し、保持体を回転させて爪片を挿入口より取付溝に挿入させることにより、保持体が誘導標本体に取り外し可能に取付けられるようになされたことを特徴とする請求項１に記載の視線誘導標。
【請求項３】
取付溝に突起を形成し、保持体を回転させたときに、爪片がその突起を通過して取付溝の奥に挿入されるようになされたことを特徴とする請求項２に記載の視線誘導標。
【請求項４】
保持体と誘導標本体のいずれか一方に、凸部を形成し、他の一方に、前記凸部を圧入する凹部を形成し、前記凸部をこの凹部に圧入させることにより、保持体が誘導標本体に取り外し可能に取付けられるようになされたことを特徴とする請求項１に記載の視線誘導標。
【請求項５】
保持体と誘導標本体のいずれか一方に、上部に径大部を有する凸部を形成し、他の一方に、中心又は側方に向かって鍔部を突出し、該鍔部に前記凸部を摺動可能に挿入することができる切欠溝を円弧状に形成すると共に、凸部を取付溝に挿入するための挿入口を形成し、前記凸部をこの挿入口に係合し、保持体を回転させて凸部を切欠溝に挿入させることにより、保持体が誘導標本体に取り外し可能に取付けられるようになされたことを特徴とする請求項１に記載の視線誘導標。
【請求項６】
切欠溝に突起を形成し、保持体を回転させたときに、凸部がその突起を通過して切欠溝の奥に挿入されるようになされたことを特徴とする請求項５に記載の視線誘導標。
【請求項７】
保持体と誘導標本体のいずれか一方に、雄ねじ部を形成し、他の一方に前記雄ねじ部に螺合する雌ねじ部を形成し、雄ねじ部と雌ねじ部とを螺合することにより、保持体が誘導標本体に取り外し可能に取付けられるようになされたことを特徴とする請求項１に記載の視線誘導標。
【請求項８】
誘導標本体及び保持体は、いずれも合成樹脂より形成されていることを特徴とする請求項１〜７のいずれか１項に記載の視線誘導標。
【請求項９】
誘導標本体及び保持体は、いずれもポリエチレンより形成されていることを特徴とする請求項８に記載の視線誘導標。
【請求項１０】
誘導標本体は支柱に取付けられ、支柱は合成樹脂より形成されていることを特徴とする請求項１〜９のいずれか１項に記載の視線誘導標。
【請求項１１】
支柱はポリエチレンより形成されている請求項１０に記載の視線誘導標。
【請求項１２】
誘導標本体、保持体及び支柱は、いずれもポリエチレンより形成されていることを特徴とする請求項１０に記載の視線誘導標。
【発明の詳細な説明】
【０００１】
【発明の属する技術分野】
本発明は、道路の線形や中央線等を標示するために道路の側縁や中央線等に沿って設置される視線誘導標に関するものである。
【０００２】
【従来の技術】
従来の視線誘導標は、誘導標本体の正面、または正面及び背面に凹部が形成され、その凹部に反射体が挿入されて取付けられている。そして誘導標本体への反射体の取付構造としては、誘導標本体に反射体をボルトナット等で固定することにより取付けるものもあるが、この構造ではボルトナット等が外観に露出して美観に欠けるため、一般には誘導標本体を熱可塑性合成樹脂で形成すると共に凹部の内径を反射体外径より僅かに大きく形成し、その凹部に反射体を挿入し、しかる後この凹部の周囲を熱プレス等で熱塑性変形させ、凹部の内周縁を反射体の外周縁に密着させることにより、反射体が誘導標本体に一体化されて取付けられている。
【０００３】
【発明が解決しようとする課題】
しかしながら上記の如く熱塑性変形させて反射体を誘導標本体に取付けるものにあっては、次のような問題点があった。すなわち反射体に傷や切損等、反射体の機能を消失させる破損が発生した場合、反射体が誘導標本体に一体化されて分離ができないため、誘導標本体ごと取り替える必要があり、そのために取り替える費用も高くついていた。特に一般の視線誘導標では、走行車線と対向車線の両方から視認されるように、誘導標本体の正面及び背面にそれぞれ異なる色で反射する反射体が取付けられているが、この種のものにあっては、例えばこのうちの一つでも反射体が破損すれば、誘導標本体や他の反射体が正常でも誘導標本体ごと取り替える必要があった。
【０００４】
さらに反射体が誘導標本体に一体化されていることからくる問題として、リサイクルが困難なことである。すなわち最近では廃棄時におけるリサイクルの要請が高まっており、誘導標本体と反射体とでは合成樹脂を使用した場合においても、反射体は反射性能を高めるため、誘導標本体は成形性、強度、コストを勘案し、一般には異なる種類の合成樹脂によりそれぞれ形成されるが、反射体と誘導標本体とが一体化されていると、廃棄時に誘導標本体と反射体とをそれぞれ分別してリサイクルすることが困難であった。
【０００５】
また反射体の取付作業においても、凹部の周囲を熱塑性変形させるには手間であり、均一な取付強度が得られにくく、さらに作業時に発生する熱や臭い等は作業環境上好ましいものではなく、また熱塑性変形を行うための熱プレス等の装置も必要であった。
【０００６】
そこで本発明は、上記の如き問題点を解消し、反射体の取付作業が容易であり、また分解して反射体のみを容易に取り替えることのでき、且つ廃棄時には分別してリサイクルが可能な視線誘導標を提供せんとするものである。
【０００７】
【課題を解決するための手段】
上記目的を達成するために、本発明は次のような構成としている。すなわちこの発明に係る視線誘導標は、反射体に外嵌させると共に誘導標本体に取り外し可能に取付けられたリング状の保持体を介して、反射体が誘導標本体に取付けられ、保持体は全面が反射体の外形より小さく開口すると共に、背面が反射体の外形より大きく開口したリング状であることを特徴とするものである。
【０００８】
本発明によれば、誘導標本体に取り外し可能に取付けられたリング状の保持体を介して、反射体が誘導標本体に取付けられているので、保持体を誘導標本体より取り外せば、反射体も外れるため、反射体のみを容易に取り替えることができ、又反射体に外嵌して保持体を誘導標本体に取付けることにより、反射体を誘導標本体に取付けることができるので、反射体の取付作業が容易である。
【０００９】
又、本発明は、反射体を誘導標本体に直接取付けず、保持体を介して取付けられているので、反射体の形状を単純化することができる。すなわち、反射体を誘導標本体に直接取付けるようにすると、誘導標本体に取付けるための取付部を反射体に形成する必要がある。この取付部は成型時に形成したり、後加工により形成することができるが、成型時に形成するとなると、反射体に取付部の形状が加わるために、成型時の形状が複雑となって、成型時の歪みが発生しやすくなり、良好な反射性能が得られにくくなる。又反射体は専用品となってその取付部の形状に対応した形状の誘導標本体にしか使用できなくなる不便さがある。取付部を後加工により形成すると手間が増え、又それなりの加工精度が要求されるので、製作が面倒になる。本発明においては、反射体は保持体を介して取付けられているので、誘導標本体に対する取付部を反射体に形成する必要がないため、反射体の形状を単純化することができる。従って製作が容易であり且つ歪みのない優れた反射性能の反射体を用いることができ、又誘導標本体に対しては専用品とならず、汎用品とすることができる。
【００１０】
さらに、本発明においては、保持体を誘導標本体より取り外すことにより、誘導標本体、保持体及び反射体がそれぞれバラバラに分解されるので、廃棄時には分別してリサイクルが可能である。
【００１１】
本発明において、リング状の保持体を誘導標本体に取り外し可能に取付けるための、誘導標本体に対する保持体の取付構造については特に限定されるものではないが、合成樹脂によって一体成型ができ、製作が容易な次のような構成にすることができる。
【００１２】
すなわち、保持体と誘導標本体のいずれか一方に、中心又は側方に向けて突設した鍔状の横壁により取付溝を形成すると共に、その横壁の複数箇所を切り欠いて挿入口を形成し、他の一方に、前記横壁とは逆方向に向けて爪片を突出し、この爪片を前記挿入口に係合し、保持体を回転させて爪片を挿入口より取付溝に挿入させることにより、保持体が誘導標本体に取り外し可能に取付けられるように構成することができる。
【００１３】
なおこの構成においては、取付溝に突起を形成し、保持体を回転させたときに、爪片がその突起を通過して取付溝の奥に挿入されるようにすれば、突起がストッパーとなって、振動等により保持体が不必要に逆回転して外れるのを防止することができる。
【００１４】
又保持体と誘導標本体のいずれか一方に、凸部を形成し、他の一方に、前記凸部を圧入する凹部を形成し、前記凸部をこの凹部に圧入させることにより、保持体が誘導標本体に取り外し可能に取付けられるように構成することもできる。
【００１５】
さらに保持体と誘導標本体のいずれか一方に、上部に径大部を有する凸部を形成し、他の一方に、中心又は側方に向かって鍔部を突出し、該鍔部に前記凸部を摺動可能に挿入することができる切欠溝を円弧状に形成すると共に、凸部を取付溝に挿入するための挿入口を形成し、前記凸部をこの挿入口に係合し、保持体を回転させて凸部を切欠溝に挿入させることにより、保持体が誘導標本体に取り外し可能に取付けられるように構成することもできる。
【００１６】
又この構成においても、切欠溝に突起を形成し、保持体を回転させたときに、凸部がその突起を通過して切欠溝の奥に挿入されるようにすれば、突起がストッパーとなって、振動等により保持体が不必要に逆回転して外れるのを防止することができる。
【００１７】
さらに又、保持体と誘導標本体のいずれか一方に、雄ねじ部を形成し、他の一方に前記雄ねじ部に螺合する雌ねじ部を形成し、雄ねじ部と雌ねじ部とを螺合することにより、保持体が誘導標本体に取り外し可能に取付けられるように構成することもできる。
【００１８】
本発明において、反射体は、メタクリル樹脂やポリカーボネート等の合成樹脂やガラス等から形成され、適宜裏面にプリズム加工等がなされ、又は基板に反射シートが貼着される等して表面が反射面となされ、その反射面に照射された車両のヘッドライト等の光は、その反射面で光源方向に再帰反射するようになされた如きものである。
【００１９】
又、誘導標本体及び保持体の材質は特に限定されるものではなく、アルミニウム合金や鋼等の金属、ポリエチレンやＡＢＳ樹脂、ポリスチレン、ＡＡＳ樹脂、ポリプロピレン、メタクリル樹脂、ＥＶＡ樹脂、ポリアミド、ポリアセタール、ポリカーボネート、アクリル樹脂、塩化ビニル樹脂、ポリウレタン、熱可塑性ポリエステル等の熱可塑性合成樹脂、ＦＲＰ、フエノール樹脂等の熱硬化性合成樹脂等が適宜用いられる。
【００２０】
前記の如く、誘導標本体及び保持体の材質は特に限定されるものではないが、リサイクルや成形性を考慮すると合成樹脂から形成するのが好ましく、又合成樹脂においてもポリエチレンが最適である。ポリエチレンは、リサイクルが容易であり、又リサイクル時に有害物質の発生が少なく、且つ衝撃に対して強く、コスト安である。なお、誘導標本体及び保持体を、いずれもポリエチレンで形成する等、同一の合成樹脂で形成すれば、誘導標本体と保持体とを分別する必要がなくなるので、よりリサイクルが容易となる。
【００２１】
誘導標本体は、道路の側縁や中央分離帯に設置されたガードレール、側壁等に取付けられてもよいし、特に降雪地域においては、スノーポールの適宜箇所に取付けることにより、反射体による視線誘導効果を具備させたスノーポールとすることができる。
【００２２】
誘導標本体をスノーポール等の支柱に取付ける場合において、リサイクルを考慮すると、誘導標本体と支柱とを同一の材料から形成すれば、廃棄時に分別する必要がないので、誘導標本体を支柱に取り外し不能に取付けることができる。誘導標本体が支柱に取り外し不能に取付けられていても、誘導標本体から反射体を取り外すことができるので、反射体の交換等のメンテナンスについても問題はない。又誘導標本体と支柱とを異なる材料から形成する場合は、支柱に取り外し可能に取付ければ、リサイクル時に、誘導標本体を支柱より取り外し、さらに誘導標本体より保持体及び反射体を取り外すことにより、全て分別してリサイクルすることができる。支柱は鋼管等の金属であってもよいが、リサイクルを考慮すると合成樹脂から形成するのが好ましい。支柱、誘導標本体及び保持体を全て同一の合成樹脂から形成すれば、廃棄時に分別する必要がないので最適であり、この場合も、前記した如くポリエチレンが好ましい。
【００２３】
【発明の実施の形態】
次に、本発明の実施の形態について図面を参照し、具体的に説明する。
【００２４】
図１は本発明に係る視線誘導標であって、誘導標本体が上部支柱と下部支柱よりなる伸縮可能なスノーポールに取付けられた実施の一形態を示し、（イ）は上部支柱を延ばした状態を示す側面図、（ロ）は上部支柱を下部支柱に収納した状態を示す正面図、図２は図１に用いられた誘導標本体であって、（イ）はその一部切欠正面図、（ロ）は部分断面図、図３は図１に用いられた反射体であって、（イ）はその正面図、（ロ）は断面図、図４は図１に用いられた保持体であって、（イ）はその背面図、（ロ）は断面図、図５は誘導標本体に保持体を介して反射体が取付けられた状態を示す部分断面図である。
【００２５】
図面において、１はスノーポールであり、それぞれポリエチレンから形成された上部支柱１１及び下部支柱１２とからなり、下部支柱１２が路面Ｇに立設されると共に、上部支柱１１は下部支柱１２に伸縮自在に支持され、降雪期間は下部支柱１２に対して上部支柱１１を引き上げることにより、上部支柱１１を下部支柱１２より突出させ、その他の期間は上部支柱１１を下げることにより、下部支柱１２に収納されるようになされている。なお上部支柱１１には降雪量の目印となる標示１３が所定間隔毎に施されている。
【００２６】
２は誘導標本体であり、上部支柱１１の上端及び下部支柱１２の上端にそれぞれ取り外し不能に取付けられている。誘導標本体２がスノーポール１に取り外し不能に取付けられているのは、いずれもポリエチレンから形成され、同じ材料から形成されているので、廃棄時に分別する必要がないためであり、異なる材料から形成する場合は、分別できるように取り外し可能に取付けるのが好ましい。３は反射体、４は保持体であり、反射体３は、前記保持体４を介して、誘導標本体２の走行車線側と反対車線側とにそれぞれ取付けられている。
【００２７】
誘導標本体２はポリエチレンから形成され、図２に示される如く、反射体３が取付けられる面部２１に、反射体３の裏面が当接される台座部２２が環状に突設され、その台座部２２の周囲に側方に向かって鍔状の横壁２３が突設され、横壁２３と面部２１とにより囲まれて、取付溝２４が形成される共に、その横壁２３の複数箇所が切り欠かれて挿入口２５が形成されている。
【００２８】
反射体３は、メタクリル樹脂やポリカーボネート等の合成樹脂やガラス等から形成され、裏面にプリズム加工等がなされて表面が反射面３１となされ、その反射面３１に照射された車両のヘッドライト等の光は、その反射面３１で光源方向に再帰反射するようになされたものであって、図３に示される如く、円板状となされ、保持体４を外嵌させるための段部３２が周囲に形成されている。
【００２９】
保持体４はポリエチレンから形成され、図４に示される如く、前記反射体３の段部３２に係合して反射体３に外嵌可能なリング状となされ、さらに前記誘導標本体２の取付溝２４に対応して、周壁より中心に向かって爪片４１が突出されている。
【００３０】
かかる構成により、保持体４を介して反射体３が誘導標本体２に取付けられる。反射体３を誘導標本体２に取付けるには、まず反射体３を誘導標本体２の台座部２２に戴置し、次いで保持体４を反射体３に外嵌させると共に、保持体４の爪片４１を誘導標本体２の挿入口２５に係合し、その状態で保持体４を回転させて爪片４１を挿入口２５より取付溝２４に挿入させ、保持体４を誘導標本体２に取付けることにより、反射体３は誘導標本体２に取付けられる。
【００３１】
次に、反射体３を誘導標本体２から取り外すには、前記と逆動作をすればよく、保持体４を逆方向に回転させて、爪片４１を挿入口２５に位置させ、保持体４を誘導標本体２から取り外すことにより、反射体３を取り外すことができる。
【００３２】
なお、本形態では、取付溝２４に突起２６が形成されており、保持体４を回転させたときに、爪片４１がその突起２６を無理に通過して取付溝２４の奥に挿入されるようになされている。そして爪片４１が取付溝２４の奥に挿入された状態では、突起２６がストッパーとなって、振動等により保持体４が不必要に逆回転して外れるのを防止している。この突起２６はゆるやかな傾斜で形成し、通常の状態では保持体４の不必要な回転を阻止し、反射体３の取付、取り外しのときには、作業者が力を加えれば保持体４を回転することができる程度の高さにしておくのが好ましい。なお、２７は保持体４を最大に回転したときに、その回転を停止させるための係止部であり、４２は、保持体４を回転させるために、保持体４の周壁外面に形成された引っかけ部であり、この引っかけ部４２に特殊な回転治具を引っかけて保持体４を回転させることができる。引っかけ部４２は凹状であってもよいし、凸状であってもよい。又特殊な回転治具を用いることにより、盗難防止を図ることができる。
【００３３】
本形態において、反射体３が誘導標本体２の走行車線側と対向車線側とにそれぞれ取付けられ、誘導標本体２もそのように取付可能な形状になされているが、一方側にのみ反射体３を取付ける場合は、図６に示される如く、前記保持体４の前面が閉塞された如き爪片４１を有する形状のカバー体５を作成し、それを誘導標本体２の他方側に取付けておけばよい。
【００３４】
又本形態においては、誘導標本体２に取付溝２４が形成され、保持体４に爪片４１が形成されているが、誘導標本体２に爪片が形成され、保持体４に取付溝が形成されていてもよい。
【００３５】
次に本発明に係る視線誘導標の他の形態について図７〜９により説明する。
図７は本発明に係る視線誘導標の他の形態において用いられる誘導標本体を示し、（イ）は正面図、（ロ）は部分断面図、図８は図７の誘導標本体に取り外し可能に取付けられる保持体を示し、（イ）は背面図、（ロ）は断面図、図９は図８の保持体を介して反射体が図７の誘導標本体に取付けられた状態を示す部分断面図である。
【００３６】
この形態では、誘導標本体２に凸部２８が形成され、保持体４には凹部４３が形成され、前記凸部２８を凹部４３に圧入させることにより、保持体４が誘導標本体２に取り外し可能に取付けられるようになされており、反射体３に外嵌させた保持体４の凹部４３に誘導標本体２の凸部２８を圧入させて、保持体４を誘導標本体２に取付けることにより、反射体３が誘導標本体２に取付けられる。又凹部４３より凸部２８を引き抜いて、保持体４を誘導標本体２から取り外すことにより、反射体３も外れる。
【００３７】
さらに本発明に係る視線誘導標の他の形態について図１０〜１２により説明する。図１０は本発明に係る視線誘導標のさらに他の形態において用いられる誘導標本体を示し、（イ）は正面図、（ロ）は部分断面図、図１１は図１０の誘導標本体に取り外し可能に取付けられる保持体を示し、（イ）は背面図、（ロ）は断面図、図１２は図１１の保持体を介して反射体が図１０の誘導標本体に取付けられた状態を示す部分断面図である。
【００３８】
この形態では、保持体４は上部に径大部４４を有する凸部４５が形成され、誘導標本体２は中心に向かって鍔部２９を突出し、この鍔部２９に前記凸部４５を摺動可能に挿入することができる切欠溝２９１が円弧状に形成される共に、凸部４５を切欠溝２９１に挿入するために、凸部４５の径大部４４よりも広幅の挿入口２９２が形成されている。そして反射体３に外嵌された保持体４の凸部４５を前記挿入口２９２に係合し、保持体４を回転させて凸部４５を切欠溝２９１に挿入させて、保持体４を誘導標本体２に取付けることにより、反射体３が誘導標本体２に取付けられる。
【００３９】
次に、反射体３を誘導標本体２から取り外すには、前記と逆動作をすればよく、保持体４を逆方向に回転させて、凸部４５を挿入口２９２に位置させることにより、保持体４を誘導標本体２から取り外すことができる。保持体４が外れると、反射体３も外れる。
【００４０】
なお、２９３は切欠溝２９１に対向して面部２１に形成された突起であり、保持体４を回転させたときに、凸部４５がその突起２９３を無理に通過して切欠溝２９１の奥に挿入されるようになされ、この突起２９３がストッパーとなって、振動等により保持体４が不必要に逆回転して外れるのを防止するようになされている。
【００４１】
さらに本発明に係る視線誘導標の他の形態について図１３により説明する。図１３は本発明に係る視線誘導標のさらに他の形態に用いられる誘導標本体及び保持体を示し、（イ）は保持体の断面図、（ロ）は誘導標本体の部分断面図である。
【００４２】
この形態においては、誘導標本体２に雄ねじ部２０１を形成し、保持体４に前記雄ねじ部２０１に螺合する雌ねじ部４６を形成し、雄ねじ部２０１と雌ねじ部４６とを螺合することにより、保持体４を誘導標本体２に取り外し可能に取付けるようにしたものであり、それ以外は上記形態と同様である。
【００４３】
【発明の効果】
本発明によれば、誘導標本体に取り外し可能に取付けられたリング状の保持体を介して、反射体が誘導標本体に取付けられているので、保持体を誘導標本体より取り外せば、反射体も外れるため、反射体のみを容易に取り替えることができ、又誘導標本体と保持体との間に反射体を挟み込むようにして保持体を誘導標本体に取付ければ、反射体を誘導標本体に取付けることができるので、反射体の取付作業が容易である。
【００４４】
又本発明においては、保持体を誘導標本体より取り外すことにより、誘導標本体、保持体及び反射体がそれぞれバラバラに分解されるので、廃棄時には分別してリサイクルが可能である。
【図面の簡単な説明】
【図１】本発明に係る視線誘導標であって、誘導標本体が上部支柱と下部支柱よりなる伸縮可能なスノーポールに取付けられた実施の一形態を示し、（イ）は上部支柱を延ばした状態を示す側面図、（ロ）は上部支柱を下部支柱に収納した状態を示す正面図である。
【図２】図１に用いられた誘導標本体であって、（イ）はその一部切欠正面図、（ロ）は部分断面図である。
【図３】図１に用いられた反射体であって、（イ）はその正面図、（ロ）は断面図である。
【図４】図１に用いられた保持体であって、（イ）はその背面図、（ロ）は断面図である。
【図５】図２〜４にそれぞれ示された、誘導標本体に保持体を介して反射体が取付けられた状態を示す部分断面図である。
【図６】カバー体の断面図である。
【図７】本発明に係る視線誘導標の他の形態において用いられる誘導標本体を示し、（イ）は正面図、（ロ）は部分断面図である。
【図８】図７の誘導標本体に取り外し可能に取付けられる保持体を示し、（イ）は背面図、（ロ）は断面図である。
【図９】図８の保持体を介して反射体が図７の誘導標本体に取付けられた状態を示す部分断面図である。
【図１０】本発明に係る視線誘導標のさらに他の形態において用いられる誘導標本体を示し、（イ）は正面図、（ロ）は部分断面図である。
【図１１】図１０の誘導標本体に取り外し可能に取付けられる保持体を示し、（イ）は背面図、（ロ）は断面図である。
【図１２】図１１の保持体を介して反射体が図１０の誘導標本体に取付けられた状態を示す部分断面図である。
【図１３】本発明に係る視線誘導標のさらに他の形態に用いられる誘導標本体及び保持体を示し、（イ）は保持体の断面図、（ロ）は誘導標本体の部分断面図である。
【符号の説明】
１    スノーポール
１１  上部支柱
１２  下部支柱
１３  標示
２    誘導標本体
２１  面部
２２  台座部
２３  横壁
２４  取付溝
２５  挿入口
２６  突起
２７  係止部
２８  凸部
２９  鍔部
２９１切欠溝
２９２挿入口
２９３突起
２０１雄ねじ部
３    反射体
３１  反射面
３２  段部
４    保持体
４１  爪片
４２  引っかけ部
４３  凹部
４４  径大部
４５  凸部
４６  雌ねじ部
５    カバー体
【図１】
0003832996.tif 000002
【図２】
0003832996.tif 000003
【図３】
0003832996.tif 000004
【図４】
0003832996.tif 000005
【図５】
0003832996.tif 000006
【図６】
0003832996.tif 000007
【図７】
0003832996.tif 000008
【図８】
0003832996.tif 000009
【図９】
0003832996.tif 000010
【図１０】
0003832996.tif 000011
【図１１】
0003832996.tif 000012
【図１２】
0003832996.tif 000013
【図１３】
0003832996.tif 000014